【手続補正書】
【提出日】平成16年9月17日(2004.9.17)
【手続補正１】
【補正対象書類名】明細書
【補正対象項目名】特許請求の範囲
【補正方法】変更
【補正の内容】
【特許請求の範囲】
【請求項１】
基台と、該基台の後方部に揺動可能に固定される踏台と、該踏台を前記基台の前後方向に傾斜させるための前後方向傾斜部材と、前記基台の後方部に垂直に凸設される後方ストッパー部材と、前記前後方向傾斜部材に着脱自在に取着される左右方向傾斜部材とを備えており、前記前後方向傾斜部材又は左右方向傾斜部材は、前記前後方向傾斜部材に左右方向傾斜部材を取着した状態において、脚裏接触面部が前記前後方向傾斜部材の中央部側又は両側方部側に向かって下降傾斜するように形成されていることを特徴とする伸展柔軟運動用補助具。
【請求項２】
基台と、該基台の後方部に揺動可能に固定される踏台と、該踏台を前記基台の前後方向に傾斜させるための前後方向傾斜部材と、前記基台の後方部に垂直に凸設される後方ストッパー部材と、前記前後方向傾斜部材に傾斜方向変更可能に取着される左右方向傾斜部材とを備えており、前記前後方向傾斜部材又は左右方向傾斜部材は、前記前後方向傾斜部材に左右方向傾斜部材を取着した状態において、脚裏接触面部が前記前後方向傾斜部材の中央部側又は両側方部側に向かって下降傾斜するように形成されていることを特徴とする伸展柔軟運動用補助具。
【請求項３】
基台と、該基台に着脱自在に取着される左右方向傾斜部材とを備えており、前記基台又は左右方向傾斜部材は、前記基台に左右方向傾斜部材を取着した状態において、脚裏接触面部が前記基台の中央部側又は両側方部側に向かって下降傾斜するように形成されていることを特徴とする伸展柔軟運動用補助具。
【請求項４】
基台と、該基台に傾斜方向変更可能に取着される左右方向傾斜部材とを備えており、前記基台又は左右方向傾斜部材は、前記基台に左右方向傾斜部材を取着した状態において、脚裏接触面部が前記基台の中央部側又は両側方部側に向かって下降傾斜するように形成されていることを特徴とする伸展柔軟運動用補助具。
【請求項５】
脚裏接触面部には、下降傾斜側の端辺部に沿って凸設される側方ストッパーが設けられていることを特徴とする請求項１から４の何れかに記載の伸展柔軟運動用補助具。
【請求項６】
脚裏接触面部には、止滑部材が配設され、又は止滑加工が施されていることを特徴とする請求項１から５の何れかに記載の伸展柔軟運動用補助具。
【請求項７】
左右方向傾斜部材は、基台又は前後方向傾斜部材の左右部に夫々取着される二片一対の傾斜片によって構成されており、該傾斜片は、脚裏接触面部の下降傾斜方向を変更可能とするために、前記基台又は前後方向傾斜部材に対する取付位置を左右反対とした状態で取着可能に形成されていることを特徴とする請求項１から６の何れかに記載の伸展柔軟運動用補助具。
【請求項８】
左右方向傾斜部材は、基台又は前後方向傾斜部材の左右部に夫々取着される二片一対の傾斜片によって構成されており、該傾斜片は、脚裏接触面部の下降傾斜方向を変更可能とするために、前記基台又は前後方向傾斜部材に対する取付向きを前後反転させた状態で取着可能に形成されていることを特徴とする請求項１から７の何れかに記載の伸展柔軟運動用補助具。
【手続補正２】
【補正対象書類名】明細書
【補正対象項目名】０００９
【補正方法】変更
【補正の内容】
【０００９】
【課題を解決するための手段】
この目的を達成するために請求項１記載の伸展柔軟運動用補助具は、基台と、該基台の後方部に揺動可能に固定される踏台と、該踏台を前記基台の前後方向に傾斜させるための前後方向傾斜部材と、前記基台の後方部に垂直に凸設される後方ストッパー部材と、前記前後方向傾斜部材に着脱自在に取着される左右方向傾斜部材とを備えており、前記前後方向傾斜部材又は左右方向傾斜部材は、前記前後方向傾斜部材に左右方向傾斜部材を取着した状態において、脚裏接触面部が前記前後方向傾斜部材の中央部側又は両側方部側に向かって下降傾斜するように形成されている。請求項２記載の伸展柔軟運動用補助具は、左右方向傾斜部材が前後方向傾斜部材に対して傾斜方向変更可能に取着されている点で請求項１記載の伸展柔軟運動用補助具と相違し、その他の点で一致する。
【手続補正３】
【補正対象書類名】明細書
【補正対象項目名】００１０
【補正方法】変更
【補正の内容】
【００１０】
請求項３記載の伸展柔軟運動用補助具は、基台と、該基台に着脱自在に取着される左右方向傾斜部材とを備えており、前記基台又は左右方向傾斜部材は、前記基台に左右方向傾斜部材を取着した状態において、脚裏接触面部が前記基台の中央部側又は両側方部側に向かって下降傾斜するように形成されている。請求項４記載の伸展柔軟運動用補助具は、左右方向傾斜部材が基台に対して傾斜方向変更可能に取着されている点で請求項３記載の伸展柔軟運動用補助具と相違し、その他の点で一致する。
【手続補正４】
【補正対象書類名】明細書
【補正対象項目名】００１１
【補正方法】変更
【補正の内容】
【００１１】
請求項５記載の伸展柔軟運動用補助具は、請求項１から４の何れかに記載の伸展柔軟運動用補助具において、脚裏接触面部には、下降傾斜側の端辺部に沿って凸設される側方ストッパーが設けられている。
【手続補正５】
【補正対象書類名】明細書
【補正対象項目名】００１２
【補正方法】変更
【補正の内容】
【００１２】
請求項６記載の伸展柔軟運動用補助具は、請求項１から５の何れかに記載の伸展柔軟運動用補助具において、脚裏接触面部には、止滑部材が配設され、又は止滑加工が施されている。
【手続補正６】
【補正対象書類名】明細書
【補正対象項目名】００１３
【補正方法】変更
【補正の内容】
【００１３】
請求項７記載の伸展柔軟運動用補助具は、請求項１から６の何れかに記載の伸展柔軟運動用補助具において、左右方向傾斜部材は、基台又は前後方向傾斜部材の左右部に夫々取着される二片一対の傾斜片によって構成されており、該傾斜片は、脚裏接触面部の下降傾斜方向を変更可能とするために、前記基台又は前後方向傾斜部材に対する取付位置を左右反対とした状態で取着可能に形成されている。
【手続補正７】
【補正対象書類名】明細書
【補正対象項目名】００１４
【補正方法】変更
【補正の内容】
【００１４】
請求項８記載の伸展柔軟運動用補助具は、請求項１から７の何れかに記載の伸展柔軟運動用補助具において、左右方向傾斜部材は、基台又は前後方向傾斜部材の左右部に夫々取着される二片一対の傾斜片によって構成されており、該傾斜片は、脚裏接触面部の下降傾斜方向を変更可能とするために、前記基台又は前後方向傾斜部材に対する取付向きを前後反転させた状態で取着可能に形成されている。
【手続補正８】
【補正対象書類名】明細書
【補正対象項目名】００３８
【補正方法】変更
【補正の内容】
【００３８】
【発明の効果】
請求項１及び２に記載の伸展柔軟運動用補助具によれば、前後方向傾斜部材により、基台の後方部に揺動可能に固定された踏台が前後方向に傾斜されるので、使用者が脚裏接触面部上に乗ることにより、使用者の脚の前後の筋肉の伸展柔軟運動を効果的に行うことができ、更には、前屈運動と併せて行うことにより、上半身の筋肉の伸展柔軟運動をも効果的に行うことができるという効果がある。
【手続補正９】
【補正対象書類名】明細書
【補正対象項目名】００３９
【補正方法】変更
【補正の内容】
【００３９】
また、前後方向傾斜部材に対して取着された左右方向傾斜部材により、前後方向傾斜部材又は左右方向傾斜部材の上面部に形成される脚裏接触面部が前後方向傾斜部材の中央部側又は両側部側に向かって下降傾斜されるので、使用者が前後方向傾斜部材又は左右方向傾斜部材上に乗ることにより、脚の裏も中央部側又は両側方部側に向かって下降傾斜される。従って、使用者の脚の側方の筋肉の伸展柔軟運動を効果的に行うことができ、ひいては、使用者のＸ脚又はＯ脚を矯正することができるという効果がある。
【手続補正１０】
【補正対象書類名】明細書
【補正対象項目名】００４０
【補正方法】変更
【補正の内容】
【００４０】
請求項３及び４に記載の伸展柔軟運動用補助具によれば、基台に対して取着された左右方向傾斜部材により、基台又は左右方向傾斜部材の上面部に形成される脚裏接触面部が基台の中央部側又は両側方部側に向かって下降傾斜するようにされているので、使用者が基台又は左右方向傾斜部材の上に乗ることにより、使用者の脚の側方の筋肉の伸展柔軟運動を効果的に行うことができ、更には、使用者のＸ脚又はＯ脚を矯正することもできるという効果がある。
【手続補正１１】
【補正対象書類名】明細書
【補正対象項目名】００４１
【補正方法】変更
【補正の内容】
【００４１】
請求項５記載の伸展柔軟運動用補助具によれば、請求項１から４の何れかに記載の伸展柔軟運動用補助具の奏する効果に加え、更に、下降傾斜側の端辺部に沿って凸設される側方ストッパーが脚裏側面部に設けられているので、側方ストッパーが防壁となって、使用者の脚が脚裏接触面上から滑り落ちてしまうことを防止することができるという効果がある。また、左右方向に傾斜しているが故に使用者のバランスのとり難さを解消し、脚裏接触面部上の使用者が不安定な状態となることを防止することができるという効果もある。
【手続補正１２】
【補正対象書類名】明細書
【補正対象項目名】００４２
【補正方法】変更
【補正の内容】
【００４２】
請求項６記載の伸展柔軟運動用補助具によれば、請求項１から５の何れかに記載の伸展柔軟運動用補助具の奏する効果に加え、更に、脚裏接触面部に止滑部材が配設され、又は止滑加工が施されているので、使用者の脚の裏と脚裏接触面部との摩擦抵抗を大きくすることができ、即ち、脚裏接触面に脚の裏を密着させることができ、ひいては、使用者の脚が脚裏接触面部上から滑り落ちてしまうことを防止することができるという効果がある。
【手続補正１３】
【補正対象書類名】明細書
【補正対象項目名】００４３
【補正方法】変更
【補正の内容】
【００４３】
請求項７記載の伸展柔軟運動用補助具によれば、請求項１から６の何れかに記載の伸展柔軟運動用補助具の奏する効果に加え、更に、二片一対の傾斜片部は基台又は前後方向傾斜部材に対する取付位置を左右反対とした状態で取着可能に形成されているので、傾斜片部の取付位置を左右入れ替えることにより、脚裏接触面部の下降傾斜方向を中央部側から両側方部側へ、又は両側方部側から中央部側へ変更することができる。ひいては、一の伸展柔軟運動用補助具により、Ｘ脚およびＯ脚の両方を矯正することができるという効果がある。
【手続補正１４】
【補正対象書類名】明細書
【補正対象項目名】００４４
【補正方法】変更
【補正の内容】
【００４４】
請求項８記載の伸展柔軟運動用補助具によれば、請求項１から７の何れかに記載の伸展柔軟運動用補助具の奏する効果に加え、更に、前後方向傾斜部材が基台又は前後方向傾斜部材の左右部に夫々取着される二片一対の傾斜片により構成されており、該二片一対の傾斜片は前後方向を反転させた状態で取着可能に形成されているので、傾斜片部の前後方向を反転させることにより、脚裏接触面部の下降傾斜方向を中央部側から両側方部側へ、又は両側方部側から中央部側へ変更することができる。ひいては、一の伸展柔軟運動用補助具により、Ｘ脚およびＯ脚の両方を矯正することができるという効果がある。